(57)【要約】【課題】操作入力装置の切替機能の拡張が簡単に実現できる。【解決手段】コンピュータ装置１にローカル局２とリモート局３、３’が接続され、各局にキーボード８およびマウス７が接続され、ローカル局は、自局またはリモート局からのコンピュータ装置の使用要求信号に対して調停により自局またはリモート局による操作入力に切り替え可能にした操作入力装置切替システムにおいて、各ローカル局およびリモート局は、ステータス用操作スイッチＳＷ２と、パルス入力用操作スイッチＳＷ１を設け、スイッチＳＷ２のＯＦＦ状態でスイッチＳＷ１がＯＮ操作されたときに自局の内部リセット信号を発生し、スイッチＳＷ２のＯＮ状態でスイッチＳＷ１がＯＮ操作されたときに自局による使用要求信号を生成する信号生成回路を設けた。  スイッチ等に代えてソフトウェア的に処理することも含む。【選択図】  図１
2006106918.tif 000002
【特許請求の範囲】
【請求項１】
コンピュータ装置と接続するローカル局と、このローカル局とは拡張ケーブルを介して接続される少なくとも１台のリモート局で構成され、ローカル局、リモート局ともにキーボードまたはマウスの操作入力装置が接続され、前記ローカル局は、自局またはリモート局からのコンピュータ装置の使用要求信号に対して調停により自局またはリモート局による操作入力に切り替え可能にした操作入力装置切替システムであって、
各ローカル局およびリモート局は、それぞれ１ビットのディジタル信号を発生できるステータス用操作スイッチＳＷ２と、パルス入力用操作スイッチＳＷ１を設け、
前記スイッチＳＷ２のＯＦＦ状態で前記スイッチＳＷ１がＯＮ操作されたときに自局の内部リセット信号を発生し、前記スイッチＳＷ２のＯＮ状態で前記スイッチＳＷ１がＯＮ操作されたときに自局による前記使用要求信号を生成する信号生成回路を設けたことを特徴とするコンピュータ装置の操作入力装置切替システム。
【請求項２】
コンピュータ装置と接続するローカル局と、このローカル局とは拡張ケーブルを介して接続される少なくとも１台のリモート局で構成され、ローカル局、リモート局ともにキーボードまたはマウスの操作入力装置が接続され、前記ローカル局は、自局またはリモート局からのコンピュータ装置の使用要求信号に対して調停により自局またはリモート局による操作入力に切り替え可能にした操作入力装置切替システムであって、
各ローカル局およびリモート局は、それぞれ１ビットのディジタル信号をソフトウェア的に発生できるステータス用信号発生手段（ＳＷ２）と、パルス入力用信号発生手段（ＳＷ１）を設け、
前記信号発生手段（ＳＷ２）のＯＦＦ状態で前記信号発生手段（ＳＷ１）がＯＮ信号を発生したときに自局の内部リセット信号を発生し、前記信号発生手段（ＳＷ２）のＯＮ状態で前記信号発生手段（ＳＷ１）がＯＮ信号を発生したときに自局による前記使用要求信号をソフトウェア的に生成する信号生成手段を設けたことを特徴とするコンピュータ装置の操作入力装置切替システム。
【発明の詳細な説明】
【技術分野】
【０００１】
本発明は、コンピュータ装置の操作入力装置（キーボードやマウス）を切り替える操作入力装置切替システムに関する。
【背景技術】
【０００２】
１台のコンピュータ装置に２式以上のキーボードおよびマウスの操作入力装置を設置し、異なる場所からコンピュータ装置への操作入力を可能にしたコンピュータシステムにおいては、キーボード／マウスの切替システムが設けられる（例えば、特許文献１参照）。
【０００３】
この切替システムは、図７に構成例を示すように、コンピュータ装置と接続するローカル局と拡張ケーブルを介して接続されるリモート局で構成され、ローカル、リモート局ともにキーボードおよびマウスが接続される。
【０００４】
図７において、１はコンピュータ装置、２は切替器ローカル局、３、３’は切替器リモート局、４はローカル局２とコンピュータ装置１を接続するインタフェースケーブル、５、５’はローカル局２とリモート局３、３’を接続する拡張ケーブルである。また、６、６’、６”はキーボード／マウスインタフェースケーブルであり、７、７’、７”はマウス、８、８’、８”はキーボードである。
【０００５】
本システム構成において、コンピュータ装置１に対するローカル局２およびリモート局３、３’の切替は、ローカル局およびリモート局に接続されたキーボード８、８’、８”において、特殊なキー操作（例えばＣｔｒｌ−Ａｌｔ−Ｓｈｉｆｔ−Ｏ等）を各局から入力し、そのデータを局搭載のＣＰＵ部において認識し、コンピュータ装置を使用したい局が使用要求信号を発生させる。その各局の要求はローカル局２に集約し、ローカル局内の調停回路において調整・選択し、当該操作入力装置を有効とさせ、コンピュータ装置には有効となったキーボード・マウス装置の操作入力を可能にする。
【０００６】
図８及び図９はローカル局およびリモート局の切替回路構成を示す。図８及び図９において、９（または９’）は各ローカル／リモート局内部に搭載されるＣＰＵ部である。ローカル局においては、そのＣＰＵ内部に、各局からの使用要求信号を調停する１０の調停回路、この調停結果を示す１５、１５’の調停結果信号、コンピュータ装置１とのデータのやり取りおよび内部制御を行う１１の制御回路、各局からキーボード、マウスデータを選択する１２の選択回路、および１４の選択信号、ローカル局からのデータより使用要求信号を抽出する２０の要求回路、および使用要求信号１６で構成される。
【０００７】
また、１３はローカル局２に直接接続されるキーボード、マウス装置との操作入力信号を取得するＩ／Ｆ回路、１７はＩ／Ｆ回路から出力されるデータ、５はリモート局３と接続される信号ケーブル、１９は各リモート局のキーボード、マウスデータ、要求・選択データ等のリモートＩ／Ｆ回路となる。このリモートＩ／Ｆ回路１９より、１７’、１７”の各局からのデータ信号が出力され、選択回路１２に入力される。また、リモートＩ／Ｆ回路１９からは調停回路１０への各リモート局の要求信号１６’、１６”が出力される。
【０００８】
図９に示すリモート局３、３’も同様の構成で、１１’はローカル局とのやり取りおよび内部制御を行う制御回路であり、１９’はリモート局およびローカル局との通信を行うキーボード、マウスデータ、要求・選択データ等のリモートＩ／Ｆ回路である。ただし、調停、選択回路等は省いた構成にされる。
【０００９】
ローカル局の操作入力装置の切替（調停）動作について説明する。
【００１０】
（１）キーボードから特殊なキー操作入力がされた場合、１３のＩ／Ｆ回路を通りマイコン９内部に取り込まれる。２０の要求回路にて特殊なキー操作の判別がなされ、ヒットした場合は１６の使用要求信号を発生させ、その他の場合は、キーボード、マウスデータとして、１１の制御回路へと渡される。
【００１１】
（２）その場合、自局データと他リモート局データとを選択回路１２において選択を行う。リモート局では、１１’の制御回路において、使用要求信号またはデータ信号をプロトコルに則り、拡張ケーブル５（または５’）へ複合データとして乗せる。
【００１２】
（３）ローカル局では自局の要求は（１）と同じだが、他リモート局のデータは拡張ケーブル５から１９のＩ／Ｆ回路へ取り込み、各リモート局のデータ、使用要求信号に振り分け、それぞれローカル局の１０の調停回路、１２のデータ選択回路へ送られる。
【００１３】
（４）各局（自局及び他リモート局）の要求を受け付けた１０の調停回路は調停を行い、使用要求信号１６、１６’、１６”に対する調停結果信号１５、１５’を渡す。ローカル局においてはすべての情報を制御回路１１に渡し、選択回路１２でデータ選択、およびコンピュータ装置１との通信を実施する。
【００１４】
（５）ローカル局がリモート局に制御権を渡す場合は、使用要求信号１５’をＩ／Ｆ回路１９に渡し、拡張ケーブル５を使用して各リモート局に調停情報を通知し、各々の局の制御は、排他的に行う。
【００１５】
以上の方法で、キーボードによる特殊なキーの入力操作により、操作入力装置の切替制御を可能にしている。
【特許文献１】特開平０９−１７１４２７号公報
【発明の開示】
【発明が解決しようとする課題】
【００１６】
従来の入力装置の切替システムは、キーボードを使用した人間の手による操作入力のため、コンピュータシステムに組み込まれたりすると使い勝手が悪かったり、コンピュータ制御による自動切替ができないため、オンラインのシステムには向かない。
【００１７】
また、リモート局またはローカル局の内部のソフトウェアが、ノイズ等により暴走した場合、この復旧には組み込まれた当該局をシステムから取り外す必要があり、迅速な復旧が困難であった。
【００１８】
本発明の目的は、上記の課題を解決した入力装置切替システムを提供することにある。
【課題を解決するための手段】
【００１９】
本発明は、前記の課題を解決するため、外部から当該局の使用要求信号およびリセット信号を発生できる２ビットの操作入力スイッチ、またはスイッチに代えたソフトウェア手段を設け、これらスイッチまたはソフトウェア手段からの入力信号によりコンピュータ装置の使用要求ができるようにしたものであり、以下の構成を特徴とする。
（１）コンピュータ装置と接続するローカル局と、このローカル局とは拡張ケーブルを介して接続される少なくとも１台のリモート局で構成され、ローカル局、リモート局ともにキーボードまたはマウスの操作入力装置が接続され、前記ローカル局は、自局またはリモート局からのコンピュータ装置の使用要求信号に対して調停により自局またはリモート局による操作入力に切り替え可能にした操作入力装置切替システムであって、
各ローカル局およびリモート局は、それぞれ１ビットのディジタル信号を発生できるステータス用操作スイッチＳＷ２と、パルス入力用操作スイッチＳＷ１を設け、
前記スイッチＳＷ２のＯＦＦ状態で前記スイッチＳＷ１がＯＮ操作されたときに自局の内部リセット信号を発生し、前記スイッチＳＷ２のＯＮ状態で前記スイッチＳＷ１がＯＮ操作されたときに自局による前記使用要求信号を生成する信号生成回路を設けたことを特徴とする。
（２）コンピュータ装置と接続するローカル局と、このローカル局とは拡張ケーブルを介して接続される少なくとも１台のリモート局で構成され、ローカル局、リモート局ともにキーボードまたはマウスの操作入力装置が接続され、前記ローカル局は、自局またはリモート局からのコンピュータ装置の使用要求信号に対して調停により自局またはリモート局による操作入力に切り替え可能にした操作入力装置切替システムであって、
各ローカル局およびリモート局は、それぞれ１ビットのディジタル信号をソフトウェア的に発生できるステータス用信号発生手段（ＳＷ２）と、パルス入力用信号発生手段（ＳＷ１）を設け、
前記信号発生手段（ＳＷ２）のＯＦＦ状態で前記信号発生手段（ＳＷ１）がＯＮ信号を発生したときに自局の内部リセット信号を発生し、前記信号発生手段（ＳＷ２）のＯＮ状態で前記信号発生手段（ＳＷ１）がＯＮ信号を発生したときに自局による前記使用要求信号をソフトウェア的に生成する信号生成手段を設けたことを特徴とする。
【発明の効果】
【００２０】
以上のとおり、本発明によれば、外部から当該局の使用要求信号およびリセット信号を発生できる２ビットの操作入力スイッチ、またはスイッチに代えたソフトウェア手段を設け、これらスイッチまたはソフトウェア手段からの入力信号によりコンピュータ装置の使用要求ができるようにしたため、操作入力装置の切替機能の拡張が簡単に実現できる。
【００２１】
具体的には、実施形態１によれば、切替機能がローカル局やリモート局内部に組み込まれている場合で、切替機能がマウスのみ、またはタッチパネルのみあるような場合、キーボード入力なしで、キーボード・マウスＩ／Ｆを当該局に向けたい（選択させたい）場合に効果がある。
【００２２】
また、ローカル局やリモート局のソフトウェアがノイズ等により暴走し、キーボード入力がきかなくなってしまった場合等、当該局をシステムから取り出すことなく、いったん局機能をリセットし、再スタートさせ、さらに当該局による操作入力を有効とさせることができる。
【００２３】
また、実施形態２によれば、コンピュータ装置の処理により、時間的に各キーボード、マウスの有効性を時分割に管理したい場合や、メインテナンスモード以外は、キーボード／マウスの入力を当該局以外または、まったく無視したいような場合、ソフトウェア的に操作入力の有効／無効を制御できる。
【発明を実施するための最良の形態】
【００２４】
以下に、１台のコンピュータ装置に複数台のキーボードとマウスを切替接続可能にした切替システムにおいて、キーボードによる特殊キー操作によることなく操作入力装置を切り替える方式の実施形態を説明する。
【００２５】
（実施形態１）ハードウェアスイッチによる切り替え
本実施形態は図１に全体構成例を示すように、各切替器（ローカル局２およびリモート局３、３’）にそれぞれ２ビットのディジタル入力になる操作スイッチの組（ＳＷ１Ｌ、ＳＷ２Ｌ）、（ＳＷ１Ｒ１、ＳＷ２Ｒ１）、（ＳＷ１Ｒ２、ＳＷ２Ｒ２）を設け、それらの１ビットをステータス用に、もう１ビットをパルス入力用とする。
【００２６】
図２及び図３は、本実施形態における切替回路構成を示す。これらの図が図８及び図９と異なる部分は、パルス入力用操作スイッチＳＷ１Ｌ、ＳＷ１Ｒ１、ＳＷ１Ｒ２と、ステータス入力用操作スイッチＳＷ２Ｌ、ＳＷ２Ｒ１、ＳＷ２Ｒ２と、それらのスイッチＩ／Ｆ回路２１、２１’を増設した点にある。
【００２７】
スイッチＳＷ１Ｌ、ＳＷ１Ｒ１、ＳＷ１Ｒ２はモーメンタリータイプとし、パルス生成に都合が良く、外部（遠隔部）からリモート局またはローカル局にそれぞれ接続される。また、スイッチＳＷ２Ｌ、ＳＷ２Ｒ１、ＳＷ２Ｒ２はオルタネートタイプとし、ＯＮかＯＦＦのどちらかのステートに固定となり、本スイッチも各局に接続される。
【００２８】
これらスイッチＳＷ１Ｌ、ＳＷ２Ｌ、ＳＷ１Ｒ１、ＳＷ２Ｒ１、ＳＷ１Ｒ２、ＳＷ２Ｒ２とスイッチＩ／Ｆ回路２１、２１’の接続は端子台を使用しても良いし、またコネクタを介して接続しても良い。
図４に回路構成例を示す。スイッチＩ／Ｆ回路２１（２１’）は、ＳＷ１（ＳＷ１Ｌ、ＳＷ１Ｒ１、ＳＷ１Ｒ２）、ＳＷ２（ＳＷ２Ｌ、ＳＷ２Ｒ１、ＳＷ２Ｒ２）のスイッチ入力がＣのフォトカプラで光絶縁して取り込まれ、Ｄのフィルタ回路でチャタリング、ノイズ等が取り除かれ、Ｅの信号生成回路へ入力される。ＲＳＴは装置のリセットスイッチである。Ｅの信号生成回路からは、装置内部のリセット信号Ｈと、装置の入力切替を有効とさせるリクエスト信号Ｉが生成される。
【００２９】
この信号生成回路の論理動作は、図５にタイムチャートを示すように、ＳＷ２がＯＦＦの時、ＳＷ１をＯＮするとリセット信号Ｈが出力され、自局の内部がリセットされる。また、ＳＷ２がＯＮの時、ＳＷ１がＯＮすると、リクエスト信号Ｉが出力され、自局による使用要求信号が生成され、図２、図３の要求回路２０、２０’を通して制御回路１１（または１１’）への操作要求制御信号となる。
【００３０】
リクエスト信号は前述の通りローカル局２の調停回路１０に入力され、調停・選択後に当該局の操作入力を有効とする。
【００３１】
したがって、本実施形態では、ローカル局およびリモート局にそれぞれスイッチＳＷ１，ＳＷ２とスイッチＩ／Ｆを組み込むことで、マウスのみを使用したい場合にキーボード入力なしに、自局装置による操作入力が可能になる。また、切替器内部のソフトウェアが暴走し、再スタートをかける場合もシステムに組み込まれたローカル局およびリモート局を取り外すことなく、スイッチＳＷ１、ＳＷ２の組み合わせによりリセットをかけたり自局の操作選択の使用要求信号を発生させることができる。
【００３２】
（実施形態２）通信機能を使用した切替
本実施形態は、切替装置のローカル局とコンピュータ装置（またはシステム装置内部の他の制御装置）との間で、通信線（例えばネットワークまたはＣＯＭのようなシリアルポート）を接続し、人の介在無しに、アプリケーションソフトウェアによって、どの局を選択するかを制御する方式である。本方式はシステムが自動運転である場合に有効となる。
【００３３】
図６にローカル局の要部構成図を示す。コンピュータ装置１とローカル局２とを２２のシリアル通信ケーブルで接続する構成において、ローカル局２には、シリアル通信のドライバ／レシーバ２３と、通信制御ＬＳＩ２４と、データ解析装置（ソフトウェア）２５を設ける。通信制御ＬＳＩ２４，データ解析装置２５は、通常、図２、図３におけるマイコン９（または９’）のマイコン装置に含まれており、その機能を利用することができる。データ解析装置２５による解析結果はローカル局内部で調停結果信号１５、１５’の各装置使用要求信号と同等となる。この使用要求信号は、前述の１０の調停回路に入力され、各局の調停・選択が可能となる。なお、通信制御ＬＳＩ２４，データ解析装置２５を動作させるソフトウェアは一般的な通信プロトコルに則ったもので済む。
【００３４】
本実施形態によれば、キーボード入力なしに、ソフトウェア処理により、コンピュータ装置の入力操作装置の切替が可能となる。
【図面の簡単な説明】
【００３５】
【図１】本発明の実施形態１を示すシステム構成図。
【図２】実施形態１におけるローカル局の構成図。
【図３】実施形態１におけるリモート局の構成図。
【図４】実施形態１におけるスイッチＩ／Ｆ回路の構成図。
【図５】実施形態１におけるスイッチＩ／Ｆ回路のタイムチャート。
【図６】実施形態２におけるローカル局の要部構成図。
【図７】従来のシステム構成図。
【図８】従来のローカル局の構成図。
【図９】従来のリモート局の構成図。
【符号の説明】
【００３６】
１  コンピュータ装置
２  ローカル局
３、３’  リモート局
７、７’、７”  マウス
８、８’、８”  キーボード
９、９’  ＣＰＵ部
１０  調停回路
１１、１１’  制御回路
１２  選択回路
１３、１３’  キーボード／マウスＩ／Ｆ回路
１９、１９’  リモートＩ／Ｆ回路
２０、２０’  要求回路
２１、２１’  スイッチＩ／Ｆ回路
２３  ドライバ／レシーバ
２４  通信制御ＬＳＩ
２５  データ解析部
【図１】
2006106918.tif 000003
【図２】
2006106918.tif 000004
【図３】
2006106918.tif 000005
【図４】
2006106918.tif 000006
【図５】
2006106918.tif 000007
【図６】
2006106918.tif 000008
【図７】
2006106918.tif 000009
【図８】
2006106918.tif 000010
【図９】
2006106918.tif 000011